(57)【要約】【課題】排気浄化装置の浄化能力の再生処理において、排気浄化装置に還元剤を供給するとともに排気の一部に排気浄化装置をバイパスさせることで、より確実に排気のエミッションを向上させる技術を提供する。【解決手段】ＮＳＲのＮＯx還元処理時に、還元剤を添加するとともに排気管を通過する排気のうちのバイパス管を通過する排気の量を増加させ、ＮＳＲを通過する排気の量を減少させる添加同期バイパス制御を行う場合に、添加同期バイパス制御の実施に伴うＮＳＲの浄化率の上昇によるＮＯx排出の減少量と（Ｓ１０５）、バイパス管を通過する排気の増加によるＮＯx排出の増加量と（Ｓ１０３）、の多少を判定し（Ｓ１０６）、ＮＳＲの浄化率の上昇によるＮＯx排出の減少量が、バイパス管を通過する排気の増加によるＮＯx排出の増加量より大きいと判定された場合に、添加同期バイパス制御を実行する（Ｓ１０７）。【選択図】図３
2008196478.tif 000002
【特許請求の範囲】
【請求項１】
内燃機関の排気通路に設けられ、前記排気通路を通過する排気を浄化する排気浄化装置と、
前記排気浄化装置の上流側において前記排気通路から分岐するとともに、前記排気浄化装置の下流側において前記排気通路に合流し、前記排気通路を通過する排気に前記排気浄化装置をバイパスさせるバイパス通路と、
前記排気浄化装置の上流側において前記排気通路を通過する排気に還元剤を供給する還元剤供給手段と、
前記排気浄化装置に蓄積された浄化物質の量が所定量以上となった場合に、前記還元剤供給手段から還元剤を排気に供給し前記排気浄化装置に導入させることにより、前記排気浄化装置の浄化能力を再生する再生処理を行う再生手段と、
前記再生手段が前記再生処理を行う場合に、前記排気通路を通過する排気のうちの前記バイパス通路を通過する排気の量を増加させ、前記排気浄化装置を通過する排気の量を減少させる再生時排気流量制御を行う再生時排気流量制御手段と、
を備え、
前記再生処理の実行時において前記再生時排気流量制御が行われた場合の、前記排気浄化装置の浄化率の上昇による浄化物質の前記排気浄化装置からの排出の減少量と、前記バイパス通路を通過する排気の増加による浄化物質の前記バイパス通路からの排出の増加量と、に基づいて、前記再生時排気流量制御を実行するか否かを決定することを特徴とする内燃機関の排気浄化システム。
【請求項２】
前記再生処理の実行時において前記再生時排気流量制御が行われた場合の、前記排気浄化装置の浄化率の上昇による浄化物質の前記排気浄化装置からの排出の減少量と、前記バイパス通路を通過する排気の増加による浄化物質の前記バイパス通路からの排出の増加量と、の多少を判定する浄化物質量判定手段をさらに備え、
前記浄化物質量判定手段によって、前記排気浄化装置の浄化率の上昇による浄化物質の前記排気浄化装置からの排出の減少量が、前記バイパス通路を通過する排気の増加による浄化物質の前記バイパス通路からの排出の増加量より多いと判定された場合に、前記再生時排気流量制御が実行されることを特徴とする請求項１に記載の内燃機関の排気浄化システム。
【請求項３】
前記浄化物質量判定手段は、前記再生処理における還元剤の供給の開始から次回の再生処理における還元剤の供給の開始までの期間における、前記排気浄化装置の浄化率の上昇による浄化物質の前記排気浄化装置からの排出の減少量と、前記バイパス通路を通過する排気の増加による浄化物質の前記バイパス通路からの排出の増加量と、の多少を判定することを特徴とする請求項２に記載の内燃機関の排気浄化システム。
【請求項４】
前記排気浄化装置は吸蔵還元型ＮＯx触媒であり、
前記排気通路における、前記排気通路と前記バイパス通路との合流部より下流側に設けられ、酸化能を有する酸化触媒をさらに備え、
前記再生処理の実行時において前記再生時排気流量制御が行われた場合の、前記排気浄化装置の浄化率の上昇によるＮＯxの前記排気浄化装置からの排出の減少量と、前記バイ
パス通路を通過する排気の増加によるＮＯxの前記バイパス通路からの排出の増加量と、
前記排気浄化装置から排出されるＮＨ３が前記酸化触媒によって酸化することによるＮＯxの増加量とに基づいて、前記再生時排気流量制御を実行するか否かを決定することを特
徴とする請求項１に記載の内燃機関の排気浄化システム。
【請求項５】
前記再生処理の実行時において前記再生時排気流量制御が行われた場合の、前記排気浄化装置の浄化率の上昇によるＮＯxの前記排気浄化装置からの排出の減少量と、前記バイ
パス通路を通過する排気の増加によるＮＯxの前記バイパス通路からの排出の増加量及び
前記排気浄化装置から排出されるＮＨ３が前記酸化触媒によって酸化することによるＮＯxの増加量の合計量と、の多少を判定するＮＯx量判定手段をさらに備え、
前記ＮＯx量判定手段によって、前記排気浄化装置の浄化率の上昇によるＮＯxの前記排気浄化装置からの排出の減少量が、前記バイパス通路を通過する排気の増加によるＮＯx
の前記バイパス通路からの排出の増加量及び前記排気浄化装置から排出されるＮＨ３が前記酸化触媒によって酸化することによるＮＯxの増加量の合計量より多いと判定された場
合に、前記再生時排気流量制御が実行されることを特徴とする請求項４に記載の内燃機関の排気浄化システム。
【請求項６】
前記ＮＯx量判定手段は、前記再生処理における還元剤の供給の開始から次回の再生処
理における還元剤の供給の開始までの期間における、前記排気浄化装置の浄化率の上昇によるＮＯxの前記排気浄化装置からの排出の減少量と、前記バイパス通路を通過する排気
の増加によるＮＯxの前記バイパス通路からの排出の増加量及び前記排気浄化装置から排
出されるＮＨ３が前記酸化触媒によって酸化することによるＮＯxの増加量の合計量と、
の多少を判定することを特徴とする請求項５に記載の内燃機関の排気浄化システム。
【発明の詳細な説明】
【技術分野】
【０００１】
本発明は内燃機関の排気浄化システムに関する。
【背景技術】
【０００２】
内燃機関の排気にはＮＯxなどの有害物質が含まれている。これらの有害物質の排出を
低減するために、内燃機関の排気系に、排気中のＮＯxを浄化するＮＯx触媒を設けることが知られている。この技術において例えば吸蔵還元型ＮＯx触媒を設けた場合には、吸蔵
されたＮＯxの量が増加すると浄化能力が低下するため、リッチスパイク制御を行うこと
により吸蔵還元型ＮＯx触媒に還元剤を供給し、同触媒に吸蔵されたＮＯxを還元放出することが行われる（以下、「ＮＯx還元処理」という。）。
【０００３】
また、内燃機関の排気にはカーボンを主成分とする微粒子物質（ＰＭ：Particulate Matter）が含まれている。これらの微粒子物質の大気への放散を防止するために内燃機関の排気系に微粒子物質を捕集するパティキュレートフィルタ（以下、「フィルタ」という。）を設ける技術が知られている。
【０００４】
かかるフィルタにおいては、捕集された微粒子物質の堆積量が増加すると、フィルタの目詰まりによって排気における背圧が上昇し機関性能が低下するので、フィルタの温度を上昇させて捕集された微粒子物質を酸化除去することとしている（以下、「ＰＭ再生処理」という。）。この場合にも、フィルタの温度を上昇させるために、フィルタに還元剤としての燃料を供給する場合がある。
【０００５】
ここで、ＮＯx触媒についてのＮＯx還元処理やフィルタ（特にＮＯx触媒が担持された
もの）についてのＰＭ再生処理を実施する際には、還元剤の供給と同時に排気の一部にＮＯx触媒やフィルタなどの排気浄化装置をバイパスさせ、排気浄化装置を通過する排気の
流量を低減する技術が提案されている。これによれば、還元剤が排気浄化装置に到達する前に多量の排気によって酸化することを抑制できるとともに、還元剤が排気浄化装置内で反応する時間を充分に確保でき、排気浄化装置の浄化能力の再生効率を向上させることができる。
【０００６】
このような排気浄化システムの技術に関連して、例えば以下の技術が公知である。すなわち、エンジンの排気管にＮＯx吸蔵還元触媒を設け、還元剤を噴射可能な液体噴射ノズ
ルをＮＯx吸蔵還元触媒より排ガス上流側の排気管に設ける。また、酸化触媒として機能
するパティキュレートフィルタをＮＯx吸蔵還元触媒より排ガス下流側の排気管に設ける
。さらに、ＮＯx吸蔵還元触媒をバイパスするようにバイパス管を排気管に接続し、排ガ
ス調整弁が排ガスをＮＯx吸蔵還元触媒又はバイパス管のいずれか一方に流すように切換
える。そして、ＮＯx吸蔵還元触媒より排ガス上流側の排気管内の排ガス温度を検出する
温度センサの検出出力に基づいて還元剤の噴射と排ガス調整弁開度をそれぞれ制御する（特許文献１参照。）。
【０００７】
この技術においては、排ガス温度が所定値未満の場合、還元剤の噴射をオフし、排ガスをＮＯx吸蔵還元触媒に流すとともに、バイパス管に流さないように排ガス調整弁を調整
する。これにより排ガス中のＮＯxは触媒に吸蔵され、排ガス中のＨＣは触媒に担持され
た貴金属の酸化作用により酸化される。排ガス温度が所定値以上の場合、大部分の排ガスをバイパス管に流しかつ一部の排ガスを触媒に流すように排ガス調整弁を調整すると同時に、液体噴射ノズルから還元剤を噴射する。これにより触媒入口の排ガスの空気過剰率が低下するとともに、触媒に吸蔵されたＮＯxが上記ＨＣ等と反応しＮ2，ＣＯ2，Ｈ2Ｏとな
って触媒から放出される。また、還元剤の噴射により生成されたＨＣなどの一部は触媒を通過してフィルタにより捕集される。このフィルタに捕集されたＨＣなどは、還元剤が噴射されているときに、大部分の排ガスがバイパス管を流れて、空気過剰率の高い排ガスがフィルタに流入するので、フィルタに担持された活性金属の酸化作用により酸化・燃焼される。
【０００８】
これによれば、排ガスに含まれるＮＯx及びパティキュレートの排出量を高効率で低減
できるとともに、液体噴射ノズルから排気管に噴射された還元剤が気化した状態で大気中に排出されるのを防止できる。
【０００９】
しかし、ＮＯx還元処理やＰＭ再生処理などの浄化能力の再生処理において、排気に排
気浄化装置をバイパスさせた場合、上述のように排気浄化装置の浄化能力の再生効率を上昇でき、浄化率の向上が期待できる一方、バイパスさせた排気中の浄化物質が排気浄化装置を通過せずに排出される場合があり、エミッションの悪化に繋がるおそれがあった。
【特許文献１】特開２００２−３４９２３６号公報
【特許文献２】特開２０００−２６５８２７号公報
【発明の開示】
【発明が解決しようとする課題】
【００１０】
本発明の目的とするところは、排気浄化装置の浄化能力の再生処理において、排気浄化装置に還元剤を供給するとともに排気の一部に排気浄化装置をバイパスさせることで、より確実に排気のエミッションを向上させる技術を提供することである。
【課題を解決するための手段】
【００１１】
上記目的を達成するための本発明は、排気浄化装置の浄化能力の再生処理時に、還元剤を供給するとともに排気通路を通過する排気のうちのバイパス通路を通過する排気の量を増加させ、排気浄化装置を通過する排気の量を減少させる再生時排気流量制御を行うことを前提としている。そして、再生時排気流量制御が行われた場合の、前記排気浄化装置の浄化率の上昇による浄化物質の前記排気浄化装置からの排出の減少量と、前記バイパス通路を通過する排気の増加による浄化物質の前記バイパス通路からの排出の増加量と、に基づいて、前記再生時排気流量制御を実行するか否かを決定することを最大の特徴とする。
【００１２】
より詳しくは、内燃機関の排気通路に設けられ、前記排気通路を通過する排気を浄化する排気浄化装置と、
前記排気浄化装置の上流側において前記排気通路から分岐するとともに、前記排気浄化装置の下流側において前記排気通路に合流し、前記排気通路を通過する排気に前記排気浄化装置をバイパスさせるバイパス通路と、
前記排気浄化装置の上流側において前記排気通路を通過する排気に還元剤を供給する還元剤供給手段と、
前記排気浄化装置に蓄積された浄化物質の量が所定量以上となった場合に、前記還元剤供給手段から還元剤を排気に供給し前記排気浄化装置に導入させることにより、前記排気浄化装置の浄化能力を再生する再生処理を行う再生手段と、
前記再生手段が前記再生処理を行う場合に、前記排気通路を通過する排気のうちの前記バイパス通路を通過する排気の量を増加させ、前記排気浄化装置を通過する排気の量を減少させる再生時排気流量制御を行う再生時排気流量制御手段と、
を備え、
前記再生処理の実行時において前記再生時排気流量制御が行われた場合の、前記排気浄化装置の浄化率の上昇による浄化物質の前記排気浄化装置からの排出の減少量と、前記バイパス通路を通過する排気の増加による浄化物質の前記バイパス通路からの排出の増加量と、に基づいて、前記再生時排気流量制御を実行するか否かを決定することを特徴とする
【００１３】
これによれば、再生時排気流量制御を実行した場合における、前記排気浄化装置の浄化率の上昇による浄化物質の前記排気浄化装置からの排出の減少量と、前記バイパス通路を通過する排気の増加による浄化物質の前記バイパス通路からの排出の増加量と、の両方を考慮した上で、再生時排気流量制御を実行するか否かを決定できる。より具体的には、再生時排気流量制御を実行しない場合と比較して、排気通路とバイパス通路の合流部の下流側に排出される浄化物質の量が少なくなると判断できる場合にのみ、再生時排気流量制御を実行することができる。従って、再生時排気流量制御によってより確実に排気エミッションを向上させることができる。
【００１４】
なお、上記において浄化物質とは、ＮＯx、微粒子物質など内燃機関の排気中に含まれ
、排気浄化装置によって浄化されるべき物質の総称である。また、浄化物質の量が所定量以上となった場合に排気浄化装置の浄化能力を再生するとは、ＮＯxが過剰に吸蔵還元型
ＮＯx触媒に吸蔵されて吸蔵還元型ＮＯx触媒のＮＯx吸蔵能力の低下が著しくなった場合
や、微粒子物質がフィルタに過剰に堆積され、フィルタによる背圧の上昇が著しくなった場合に、ＮＯx還元処理、ＰＭ再生処理などを行うことを意味している。
【００１５】
また、本発明は、排気浄化装置の浄化能力の再生処理時に、還元剤を供給するとともに排気通路を通過する排気のうちのバイパス通路を通過する排気の量を増加させ、排気浄化装置を通過する排気の量を減少させる再生時排気流量制御を行うことを前提としている。そして、再生時排気流量制御が行われた場合の、排気浄化装置の浄化率の上昇による浄化物質の排気浄化装置からの排出の減少量と、バイパス通路を通過する排気の増加による浄化物質のバイパス通路からの排出の増加量と、の多少を判定し、排気浄化装置の浄化率の上昇による浄化物質の排気浄化装置からの排出の減少量が、バイパス通路を通過する排気の増加による浄化物質のバイパス通路からの排出の増加量より大きいと判定された場合に、再生時排気流量制御を実行することを特徴とする。
【００１６】
より詳しくは、前記再生処理の実行時において前記再生時排気流量制御が行われた場合の、前記排気浄化装置の浄化率の上昇による浄化物質の前記排気浄化装置からの排出の減少量と、前記バイパス通路を通過する排気の増加による浄化物質の前記バイパス通路からの排出の増加量と、の多少を判定する浄化物質量判定手段をさらに備え、
前記浄化物質量判定手段によって、前記排気浄化装置の浄化率の上昇による浄化物質の前記排気浄化装置からの排出の減少量が、前記バイパス通路を通過する排気の増加による浄化物質の前記バイパス通路からの排出の増加量より多いと判定された場合に、前記再生時排気流量制御が実行されることを特徴とする。
【００１７】
すなわち、
内燃機関の排気通路に設けられ、前記排気通路を通過する排気を浄化する排気浄化装置
と、
前記排気浄化装置の上流側において前記排気通路から分岐するとともに、前記排気浄化装置の下流側において前記排気通路に合流し、前記排気通路を通過する排気に前記排気浄化装置をバイパスさせるバイパス通路と、
前記排気通路における前記バイパス通路への分岐部より上流側において、前記排気通路を通過する排気に還元剤を供給する還元剤供給手段と、
前記排気浄化装置に蓄積された浄化物質の量が所定量以上となった場合に、前記還元剤供給手段から還元剤を排気に供給し前記排気浄化装置に導入させることにより、前記排気浄化装置の浄化能力を再生する再生処理を行う再生手段と、
前記再生手段が前記再生処理を行う場合に、前記排気通路を通過する排気のうちの前記バイパス通路を通過する排気の量を増加させ、前記排気浄化装置を通過する排気の量を減少させる再生時排気流量制御を行う再生時排気流量制御手段と、
前記再生処理の実行時において前記再生時排気流量制御が行われた場合の、前記排気浄化装置の浄化率の上昇による浄化物質の前記排気浄化装置からの排出の減少量と、前記バイパス通路を通過する排気の増加による浄化物質の前記バイパス通路からの排出の増加量と、の多少を判定する浄化物質量判定手段と、
を備え、
前記浄化物質量判定手段によって、前記排気浄化装置の浄化率の上昇による浄化物質の前記排気浄化装置からの排出の減少量が、前記バイパス通路を通過する排気の増加による浄化物質の前記バイパス通路からの排出の増加量より多いと判定された場合に、前記再生時排気流量制御が実行されることを特徴とする内燃機関の排気浄化システムである。  
【００１８】
これによれば、再生時排気流量制御を実行した場合に、再生時排気流量制御を実行しない場合と比較して、排気通路とバイパス通路の合流部の下流側に排出される浄化物質の合計量（前記排気浄化装置の浄化率の上昇による浄化物質の前記排気浄化装置からの排出の減少量と、前記バイパス通路を通過する排気の増加による浄化物質の前記バイパス通路からの排出の増加量との差し引き量）が少なくなる場合にのみ、再生時排気流量制御を行うことができる。従って、再生時排気流量制御によってより確実に排気エミッションを向上させることができる。
【００１９】
また、本発明においては、前記浄化物質量判定手段は、前記再生処理における還元剤の供給の開始から次回の再生処理における還元剤の供給の開始までの期間における、前記排気浄化装置の浄化率の上昇による浄化物質の排出の減少量と、前記バイパス通路を通過する排気の増加による浄化物質の排出の増加量と、の多少を判定するようにしてもよい。
【００２０】
ここで、再生処理において再生時排気流量制御を実行した場合、還元剤供給手段から還元剤が供給されている期間に再生時排気流量制御が行われる。そうすると、バイパス通路を通過する排気の増加による浄化物質の排出の増加は、再生時排気流量制御が実行される期間において生ずる。一方、再生時排気流量制御が実行される期間中に排気浄化装置の浄化能力が再生されるので、その後、浄化物質が排気浄化装置に蓄積されるまでの期間において、浄化率の向上により浄化物質の排出が減少する。そして、次回の再生処理における還元剤の供給を起点として同様の変化が繰り返される。
【００２１】
従って、各々の再生処理において再生時排気流量制御を実行するかどうかは再生処理における還元剤の供給の開始から次回の再生処理における還元剤の供給の開始までの期間における、排気浄化装置の浄化率の上昇による浄化物質の排出の減少量と、バイパス通路を通過する排気の増加による浄化物質の排出の増加量と、の大小関係に基づくことが適当である。
【００２２】
よって、本発明においては、再生処理における還元剤の供給の開始から次回の再生処理における還元剤の供給の開始までの時期における、排気浄化装置の浄化率の上昇による浄化物質の排出の減少量と、バイパス通路を通過する排気の増加による浄化物質の排出の増加量と、の多少を判定することとした。
【００２３】
これによれば、各々の再生処理に係る全期間における浄化物質の合計排出量を基準として、再生時排気流量制御の実行判断をすることができるので、さらに確実に、再生時排気流量制御によって排気エミッションを向上させることができる。
【００２４】
また、本発明においては、前記排気浄化装置は吸蔵還元型ＮＯx触媒であり、
前記排気通路における、前記排気通路と前記バイパス通路との合流部より下流側に設けられ、酸化能を有する酸化触媒をさらに備え、
前記再生処理の実行時において前記再生時排気流量制御が行われた場合の、前記排気浄
化装置の浄化率の上昇によるＮＯxの前記排気浄化装置からの排出の減少量と、前記バイ
パス通路を通過する排気の増加によるＮＯxの前記バイパス通路からの排出の増加量と、
前記排気浄化装置から排出されるＮＨ３が前記酸化触媒によって酸化することによるＮＯxの増加量とに基づいて、前記再生時排気流量制御を実行するか否かを決定することとし
てもよい。
【００２５】
ここで、内燃機関の排気浄化装置が吸蔵還元型ＮＯx触媒である場合について考える。
この場合には、再生処理において、吸蔵還元型ＮＯx触媒に吸蔵（吸収、吸着を含む）さ
れていたＮＯx及び、再生処理中に新たに内燃機関から排出されるＮＯxのうち、大半は還元されるが、一部はＮＨ３となって吸蔵還元型ＮＯx触媒から排出される。そして、当該
ＮＨ３の一部が下流の酸化触媒にて酸化されてＮＯxに戻る場合がある。そうすると、こ
のことにより発生するＮＯxによって、内燃機関の排気系全体としてのＮＯx浄化率が低下してしまう場合があった。
【００２６】
これに対し本発明では、再生時排気流量制御を実行した場合における、前記排気浄化装置の浄化率の上昇によるＮＯxの前記排気浄化装置からの排出の減少量と、前記バイパス
通路を通過する排気の増加によるＮＯxの前記バイパス通路からの排出の増加量と、前記
排気浄化装置から排出されるＮＨ３が前記酸化触媒によって酸化することによるＮＯxの
増加量の全てを考慮した上で、再生時排気流量制御を実行するか否かを決定できる。より具体的には、再生時排気流量制御を実行しない場合と比較して、酸化触媒の下流側に排出されるＮＯxの量が少なくなると判断できる場合にのみ、再生時排気流量制御を実行する
ことができる。従って、再生時排気流量制御によってさらに確実に排気エミッションを向上させることができる。
【００２７】
また、本発明においては、前記再生処理の実行時において前記再生時排気流量制御が行われた場合の、前記排気浄化装置の浄化率の上昇によるＮＯxの前記排気浄化装置からの
排出の減少量と、前記バイパス通路を通過する排気の増加によるＮＯxの前記バイパス通
路からの排出の増加量及び前記排気浄化装置から排出されるＮＨ３が前記酸化触媒によって酸化することによるＮＯxの増加量の合計量と、の多少を判定するＮＯx量判定手段をさらに備え、
前記ＮＯx量判定手段によって、前記排気浄化装置の浄化率の上昇によるＮＯxの前記排気浄化装置からの排出の減少量が、前記バイパス通路を通過する排気の増加によるＮＯx
の前記バイパス通路からの排出の増加量及び前記排気浄化装置から排出されるＮＨ３が前記酸化触媒によって酸化することによるＮＯxの増加量の合計量より多いと判定された場
合に、前記再生時排気流量制御が実行されるようにしてもよい。
【００２８】
これによれば、再生時排気流量制御を実行した場合に、再生時排気流量制御を実行しない場合と比較して、酸化触媒の下流側に排出されるＮＯxの合計量（前記排気浄化装置の
浄化率の上昇によるＮＯxの前記排気浄化装置からの排出の減少量と、前記バイパス通路
を通過する排気の増加によるＮＯxの前記バイパス通路からの排出の増加量及び前記排気
浄化装置から排出されるＮＨ３が前記酸化触媒によって酸化することによるＮＯxの増加
量の合計量との差し引き量）が少なくなる場合にのみ、再生時排気流量制御を行うことができる。従って、再生時排気流量制御によってより確実に排気エミッションを向上させることができる。
【００２９】
また、本発明においては、前記ＮＯx量判定手段は、前記再生処理（この場合はＮＯx還元処理）における還元剤の供給の開始から次回の再生処理における還元剤の供給の開始までの期間における、前記排気浄化装置の浄化率の上昇によるＮＯxの前記排気浄化装置か
らの排出の減少量と、前記バイパス通路を通過する排気の増加によるＮＯxの前記バイパ
ス通路からの排出の増加量及び前記排気浄化装置から排出されるＮＨ３が前記酸化触媒に
よって酸化することによるＮＯxの増加量の合計量と、の多少を判定するようにしてもよ
い。
【００３０】
ここで、前述のように、各々の再生処理において再生時排気流量制御を実行するかどうかは再生処理における還元剤の供給の開始から次回の再生処理における還元剤の供給の開始までの期間における、排気浄化装置の浄化率の上昇によるＮＯxの排出の減少量と、バ
イパス通路を通過する排気の増加によるＮＯxの前記バイパス通路からの排出の増加量及
び前記排気浄化装置から排出されるＮＨ３が前記酸化触媒によって酸化することによるＮＯxの増加量の合計量と、の大小関係に基づくことが適当である。
【００３１】
よって、本発明においては、再生処理における還元剤の供給の開始から次回の再生処理における還元剤の供給の開始までの時期における、前記排気浄化装置の浄化率の上昇によるＮＯxの前記排気浄化装置からの排出の減少量と、前記バイパス通路を通過する排気の
増加によるＮＯxの前記バイパス通路からの排出の増加量及び前記排気浄化装置から排出
されるＮＨ３が前記酸化触媒によって酸化して発生するＮＯxの増加量の合計量と、の多
少を判定することとした。
【００３２】
これによっても、各々の再生処理に係る全期間におけるＮＯxの合計排出量を基準とし
て、再生時排気流量制御の実行判断をすることができるので、さらに確実に、再生時排気流量制御によって排気エミッションを向上させることができる。
【００３３】
なお、本発明における課題を解決するための手段は、可能な限り組み合わせて使用することができる。
【発明の効果】
【００３４】
本発明にあっては、排気浄化装置の浄化能力の再生処理において、排気浄化装置に還元剤を供給するとともに排気の一部に排気浄化装置をバイパスさせることで、より確実に排気のエミッションを向上させることができる。
【発明を実施するための最良の形態】
【００３５】
以下に図面を参照して、この発明を実施するための最良の形態を例示的に詳しく説明する。
【実施例１】
【００３６】
図１は、本実施例に係る内燃機関と、その排気系及び制御系の概略構成を示す図である。図１に示す内燃機関１は、ディーゼル機関である。なお、図１においては、内燃機関１の内部及びその吸気系は省略されている。
【００３７】
図１において、内燃機関１には、内燃機関１から排出される排気が流通する排気通路としての排気管５が接続され、この排気管５は下流にて図示しないマフラーに接続されている。また、排気管５の途中には、排気中のＮＯxを浄化する吸蔵還元型ＮＯx触媒（以下、「ＮＳＲ」と略す。）１０が配置されている。そして、排気管５におけるＮＳＲ１０の下流側には、排気中の微粒子物質を捕集するフィルタ１１が配置されている。なお、ＮＳＲ１０に酸化能を有する酸化触媒ＣＣｏが付加された構成としてもよい。
【００３８】
また、ＮＳＲ１０の上流の分岐部５ａにおいて、排気管５からバイパス通路としてのバイパス管６が分岐されている。そして、バイパス管６には、内燃機関１からの排気にバイパス管６を通過させるか遮断するかを切換える切換弁１５が備えられている。また、バイパス管６は、ＮＳＲ１０とフィルタ１１の間の部分で排気管５に合流している。
【００３９】
ここで、切換弁１５を作動させて、内燃機関１からの排気にそのまま排気管５を通過させることにより、排気にＮＳＲ１０及びフィルタ１１の両方を通過させることができる。同様に、内燃機関１からの排気にバイパス管６を通過させることにより、排気にＮＳＲ１０をバイパスさせてフィルタ１１のみを通過させることができる。
【００４０】
なお、排気管５におけるＮＳＲ１０の上流側には、ＮＳＲ１０のＮＯx還元処理または
ＳＯx被毒再生処理の際や、フィルタ１１のＰＭ再生処理の際に、還元剤としての燃料を
排気中に添加する燃料添加弁１４が配置されている。上記においてＮＳＲ１０は本実施例において排気浄化装置に相当する。また、燃料添加弁１４は還元剤供給手段に相当する。
【００４１】
以上述べたように構成された内燃機関１及びその排気系には、該内燃機関１及び排気系を制御するための電子制御ユニット（ＥＣＵ：Electronic Control Unit）２０が併設さ
れている。このＥＣＵ２０は、内燃機関１の運転条件や運転者の要求に応じて内燃機関１の運転状態等を制御する他、内燃機関１のＮＳＲ１０、フィルタ１１を含めた排気浄化システムに係る制御を行うユニットである。
【００４２】
ＥＣＵ２０には、図示しないエアフローメータ、クランクポジションセンサや、アクセルポジションセンサなどの内燃機関１の運転状態の制御に係るセンサ類が電気配線を介して接続され、出力信号がＥＣＵ２０に入力されるようになっている。一方、ＥＣＵ２０には、内燃機関１内の図示しない燃料噴射弁等が電気配線を介して接続される他、本実施例における切換弁１５、燃料添加弁１４などが電気配線を介して接続され、ＥＣＵ２０によって制御されるようになっている。
【００４３】
また、ＥＣＵ２０には、ＣＰＵ、ＲＯＭ、ＲＡＭ等が備えられており、ＲＯＭには、内燃機関１の種々の制御を行うためのプログラムや、データを格納したマップが記憶されている。以下で説明する本実施例における添加同期バイパス制御実行判断ルーチンも、ＥＣＵ２０内のＲＯＭに記憶されたプログラムの一つである。
【００４４】
ここで、上記の構成においてＮＳＲ１０のＮＯx還元処理を行う場合について考える。
この場合、燃料添加弁１４から還元剤としての燃料を添加するとともに、燃料が添加されている期間中は切換弁１５を開弁し、排気の一部にバイパス管６を通過させる。これにより、ＮＳＲ１０に流入する排気の量を低減し（低ＳＶ(Space Velocity)化し）、燃料添加弁１４から添加された燃料がＮＳＲ１０に到達するまでに酸化消費されてしまうことを抑制できる。また、ＮＳＲ１０に到達した燃料がＮＳＲ１０内で充分に還元反応を完了可能な時間を確保することができ、ＮＯxの還元効率を向上させることができる（以下、この
制御を「添加同期バイパス制御」という。）。図２には、ＮＯx還元処理における燃料添
加弁１４からの燃料添加と切換弁１５の開閉に係るタイムチャートを示す。なお、添加同期バイパス制御は再生時排気流量制御に相当し、添加同期バイパス制御を実行するＥＣＵ２０及び切換弁１５は、再生時排気流量制御手段を構成する。また、ＥＣＵ２０は、本実施例において再生手段でもある。
【００４５】
しかし、添加同期バイパス制御を行った場合、切換弁１５を開弁している期間中、バイパス管６を介して排気がＮＳＲ１０を通過せずに下流側に流出するため、浄化されないまま排出されるＮＯxの量が増加する。そして、ＮＯx還元処理のインターバルなどの条件によっては、ＮＳＲ１０の浄化率の向上による排出ＮＯx量の減少分より、バイパス管６か
らの排出ＮＯx量の増加分の方が大きくなり、トータルとしてエミッションが悪化してし
まうことが考えられた。
【００４６】
すなわち、例えば添加同期バイパス制御による切換弁１５の開弁時間は一定であるにも拘らず、ＮＳＲ１０におけるＮＯx吸蔵量や内燃機関１から排出されるＮＯx量に応じてＮ
Ｏx還元処理のインターバルが大幅に変化することがある。このような場合には、ＮＳＲ
１０の浄化率の向上による排出ＮＯx量の減少分と、バイパス管６からの排出ＮＯx量の増加分との大小関係が変わってしまうおそれがある。
【００４７】
また、上記の排出ＮＯx量の多少の判定を、事前に定常状態での適合によって求めるこ
とも考えられるが、この方法では実際の過渡状態でのインターバルの変化に対応することが困難な場合があった。
【００４８】
そこで、本実施例においては、ＮＯx還元処理のインターバルについての、ＮＳＲ１０
の浄化率の向上による排出ＮＯx量の減少分と、バイパス管６からの排出ＮＯx量の増加分とを比較し、ＮＳＲ１０の浄化率の向上による排出ＮＯx量の減少分が、バイパス管６か
らの排出ＮＯx量の増加分よりも多いと判定される場合にのみ、添加同期バイパス制御を
行うこととした。
【００４９】
図３には、本実施例における添加同期バイパス制御実行判断ルーチンについてのフローチャートを示す。本ルーチンはＥＣＵ２０内のＲＯＭに記憶されたプログラムであり、ＮＯx還元処理の実行中にはＥＣＵ２０によって所定期間毎に実行されるルーチンである。
【００５０】
本ルーチンが実行されるとまず、Ｓ１０１において、この時点における機関回転数と燃料噴射量より、内燃機関１から単位時間あたりに排出されるＮＯx量（ｇ/ｓ）が導出される。具体的には、機関回転数及び燃料噴射量と内燃機関１から単位時間あたりに排出されるＮＯx量との関係を格納したマップから、この時点の機関回転数及び燃料噴射量に対応
する、単位時間あたりに排出されるＮＯx量を読み出すことによって導出する。Ｓ１０１
の処理が終了するとＳ１０２に進む。
【００５１】
Ｓ１０２においては、この時点における吸入空気量に基づいて、切換弁１５によって制御される排気のバイパス管６への分流比が導出される。具体的には吸入空気量と、添加同期バイパス制御を行う際に制御目標となる分流比との関係が格納されたマップから、この時点における吸入空気量に対応した分流比の値を読み出すことによって導出される。Ｓ１０２の処理が終了するとＳ１０３に進む。
【００５２】
Ｓ１０３においては、切換弁１５の開弁中にバイパス管６を経由して排出されるＮＯx
の増加量が算出される。具体的には、切換弁１５の開弁時間（ｓ）にＳ１０１で導出した、内燃機関１から単位時間あたりに排出されるＮＯx量（ｇ/ｓ）と、Ｓ１０２で導出した分流比を乗じることによって算出される。Ｓ１０３の処理が終了するとＳ１０４に進む。
【００５３】
Ｓ１０４においては、この時点におけるＮＳＲ１０の床温及び吸入空気量から、添加同期バイパス制御（低ＳＶ化）によるＮＯx浄化率の上昇分が導出される。具体的には、Ｎ
ＳＲ１０の床温及び吸入空気量とＮＯx浄化率上昇分との関係が格納されたマップから、
この時点におけるＮＳＲ１０の床温及び吸入空気量に対応するＮＯx浄化率の上昇分の値
を読み出すことによって導出される。Ｓ１０４の処理が終了するとＳ１０５に進む。
【００５４】
Ｓ１０５においては、添加同期バイパス制御によるＮＳＲ１０からのＮＯx排出の減少
量が算出される。具体的には、ＮＯx還元インターバル（ｓ）に内燃機関１から単位時間
あたりに排出されるＮＯx量（ｇ/ｓ）と低ＳＶ化によるＮＯx浄化率の上昇分とを乗じる
ことによって算出される。Ｓ１０５の処理が終了するとＳ１０６に進む。
【００５５】
Ｓ１０６においては、Ｓ１０３で算出された、切換弁１５の開弁中にバイパス管６を経由して排出されるＮＯx排出量と、Ｓ１０５で算出された添加同期バイパス制御によるＮ
ＳＲ１０からのＮＯx排出の減少量とが比較される。そして、添加同期バイパス制御によ
るＮＯx排出の減少量の方が、切換弁１５の開弁中にバイパス管６を介して排出されるＮ
Ｏx排出量より大きいと判定された場合にはＳ１０７に進む。一方、切換弁１５の開弁中
にバイパス管６を介して排出されるＮＯx排出量が添加同期バイパス制御によるＮＯx排出の減少量以上であると判定された場合には、そのまま本ルーチンを一旦終了する。
【００５６】
Ｓ１０７においては、添加同期バイパス制御が実行される。Ｓ１０７の処理が終了すると本ルーチンを一旦終了する。
【００５７】
このように、本ルーチンにおいては、切換弁１５の開弁中にバイパス管６を介して排出されるＮＯx量（排出ＮＯx量の増加量とも言える）と、Ｓ１０５で算出された添加同期バイパス制御によるＮＳＲ１０からのＮＯx排出の減少量とが比較され、添加同期バイパス
制御によるＮＳＲ１０からのＮＯx排出の減少量の方が多いと判定された場合に限って添
加同期バイパス制御を実行することとした。従って、添加同期バイパス制御を実行することで、トータルのエミッションが向上すると判断される場合にのみ、添加同期バイパス制御を実行することができ、より確実にエミッションの向上効果を得ることができる。
【００５８】
なお、上記において、Ｓ１０１〜Ｓ１０６の処理を実行するＥＣＵ２０は、本実施例における浄化物質量判定手段に相当する。
【００５９】
また、上記の実施例においては、排気浄化装置がＮＳＲ１０である場合について説明したが、排気浄化装置は、フィルタに吸蔵還元型ＮＯx触媒が担持されたＤＰＮＲでもよい
し、選択還元型ＮＯx触媒でもよい。また、排気浄化装置がＤＰＮＲである場合には、本
発明をＤＰＮＲのＰＭ再生に適用してもよい。さらに、本発明は、還元剤として燃料以外の液体、例えば尿素水を使用する排気浄化システムにも適用可能である。さらに排気浄化装置への燃料の供給方法は、燃料添加弁１４からの燃料添加に限られず、例えば内燃機関１における副噴射によって実現してもよい。
【００６０】
また、上記の実施例においては、添加同期バイパス制御は、切換弁１５の開閉を切換えることによって行ったが、切換弁１５の開度を連続的に変化させ、排気管５を通過する排気のうちバイパス管６を通過する排気の量とＮＳＲ１０を通過する排気の量とを適宜調整するようにしてもよい。切換弁１５を用いる代わりに、分岐部５ａに配置された三方弁を用いて制御しても良い。
【００６１】
また、上記の添加同期バイパス制御実行判断ルーチンでは、再生処理（ＮＯx還元）イ
ンターバルについて、切換弁１５の開弁中にバイパス管６を介して排出されるＮＯx量と
、ＮＳＲ１０の浄化率向上によるＮＯx排出の減少量とが比較された。しかし、この比較
の対象となる期間はＮＯx還元インターバルに限られない。例えば、添加同期バイパス制
御の終了後は、ＮＳＲ１０の浄化率は、ＮＯxの吸蔵とともに徐々に悪化するので、実際
にＮＳＲ１０の浄化率向上によるＮＯx排出の減少が顕著に期待できる期間を対象として
比較を行なってもよい。また、複数のＮＯx還元インターバルについて、切換弁１５の開
弁中にバイパス管６を介して排出されるＮＯx量の平均値と、ＮＳＲ１０の浄化率向上に
よるＮＯx排出の減少量の平均値と、を比較してもよい。
【００６２】
また、上記の添加同期バイパス制御実行判断ルーチンのＳ１０１〜Ｓ１０５において、切換弁１５の開弁中にバイパス管６を介して排出されるＮＯx量と、添加同期バイパス制
御によるＮＳＲ１０からのＮＯx排出の減少量とを算出する方法は、本実施例で示した方
法に特に限られるものでない。より精度よく算出することができる方法があれば、適宜変更が可能である。
【００６３】
また、上記実施例では、添加同期バイパス制御実行判断ルーチンのＳ１０６においては
、Ｓ１０３で算出された、切換弁１５の開弁中にバイパス管６を経由して排出されるＮＯx排出量と、Ｓ１０５で算出された添加同期バイパス制御によるＮＳＲ１０からのＮＯx排出の減少量とを比較した。そして、添加同期バイパス制御によるＮＳＲ１０からのＮＯx
排出の減少量の方が、切換弁１５の開弁中にバイパス管６を介して排出されるＮＯx排出
量より大きいと判定された場合に限って添加同期バイパス制御を実行することとした。
【００６４】
しかし、切換弁１５の開弁中にバイパス管６を経由して排出されるＮＯx排出量と、添
加同期バイパス制御によるＮＳＲ１０からのＮＯx排出の減少量とに基づいて、添加同期
バイパス制御を実行するか否かを決定する方法はこれに限られない。例えば、Ｓ１０３で算出された切換弁１５の開弁中にバイパス管６を経由して排出されるＮＯx排出量と、Ｓ
１０５で算出された添加同期バイパス制御によるＮＳＲ１０からのＮＯx排出の減少量の
、算出精度に差があるような場合には、いずれかに重み付けの係数を乗ずるなどの変更は適宜可能である。
【００６５】
すなわち、実質的に、切換弁１５の開弁中にバイパス管６を介して排出されるＮＯx量
と、添加同期バイパス制御によるＮＳＲ１０からのＮＯx排出の減少量の２つの要因を考
慮した上で、トータルのエミッションが向上すると判断される場合に、添加同期バイパス制御を実行するようにすればよい。
【実施例２】
【００６６】
次に、本発明の実施例２について説明する。本実施例においては、内燃機関の排気系にＮＳＲと酸化触媒とが設けられた例であって、添加同期バイパス制御を行うかどうかの判断において、ＮＳＲ１０の浄化率の向上による排出ＮＯx量の減少分と、バイパス管６か
らの排出ＮＯx量の増加分の他に、ＮＯx還元処理においてＮＳＲから排出されるＮＨ３が酸化触媒で酸化することによるＮＯxの増加分についても考慮する例について説明する。
【００６７】
図４には、本実施例に係る内燃機関と、その排気系及び制御系の概略構成を示す。本実施例においては、燃料添加弁２４は、排気管５におけるバイパス管６への分岐部５ａの下流側の排気管５に配置されている。また、排気管５のＮＳＲ１０の下流側におけるバイパス管６との合流部のさらに下流側には、酸化触媒２１が配置されている。その他の構成については図１に示したものと同等であるので、以下では図１に示した構成と同一の構成については同じ符号を用いるとともに説明は省略する。また、本実施例においても、図２に示したタイムチャートに従ってＮＯx還元処理が行われる。
【００６８】
このような構成において、添加同期バイパス制御を実行してＮＳＲ１０のＮＯx還元処
理を行う場合について考える。この場合には、ＮＳＲ１０では、燃料添加弁２４からの燃料添加によってＮＳＲ１０に吸蔵されているＮＯx及び、内燃機関１から排出されたＮＯxの大半は還元されるが、一部はＮＨ３となりＮＳＲ１０から排出される。
【００６９】
ここで、ＮＳＲ１０から排出されたＮＨ３は、酸化触媒２１において酸化して再度ＮＯxに戻ってしまう場合がある。そうすると、このことにより発生したＮＯxが酸化触媒２１より排出され、結果的にＮＯxの浄化率を低下させる場合があった。
【００７０】
これに対し、本実施例においては、ＮＯx還元処理のインターバルについての、ＮＳＲ
１０の浄化率の向上による排出ＮＯx量の減少分と、バイパス管６からの排出ＮＯx量の増加分及びＮＳＲ１０から排出されるＮＨ３が酸化触媒２１で酸化することによるＮＯxの
増加量の合計量と、を比較し、ＮＳＲ１０の浄化率の向上による排出ＮＯx量の減少分が
、バイパス管６からの排出ＮＯx量の増加分及びＮＳＲ１０から排出されるＮＨ３が酸化
触媒２１で酸化することによるＮＯxの増加量の合計量よりも多いと判定される場合にの
み、添加同期バイパス制御を行うこととした。
【００７１】
図５には、本実施例における添加同期バイパス制御実行判断ルーチン２についてのフローチャートを示す。本ルーチンはＥＣＵ２０内のＲＯＭに記憶されたプログラムであり、ＮＯx還元処理の実行中にはＥＣＵ２０によって所定期間毎に実行されるルーチンである
。本ルーチンにおけるＳ１０１〜Ｓ１０５までの処理は、図３に示した添加同期バイパス制御実行判断ルーチンと同等であるので説明は省略する。
【００７２】
本ルーチンにおけるＳ２０１では、図２に示したＮＯx還元（再生処理）インターバル
において内燃機関１から排出されるＮＯxの量と、ＮＳＲ１０に吸蔵されているＮＯx量との総和と、添加同期バイパス制御時における推定空燃比の値とから、ＮＯx還元インター
バルにおいてＮＳＲ１０から排出されるＮＨ３の量を導出する。
【００７３】
具体的には、Ｓ１０１において導出される内燃機関１から単位時間当たりに排出されるＮＯx量（ｇ／ｓ）に、ＮＯx還元インターバルの時間を乗じた値と、内燃機関１の運転状態の履歴から推定されたＮＳＲ１０に吸蔵されているＮＯx量とから、ＮＯx量の総和を導出し、このＮＯx量の総和と、燃料添加弁２４から排気に添加される燃料量と吸入空気量
とに基づいて推定される空燃比と、ＮＯx還元インターバルにおいてＮＳＲ１０から排出
されるＮＨ３の量との関係を格納したマップから、この時点におけるＮＯx量の総和と、
推定される空燃比とに対応するＮＨ３の量を読み出すことによって導出する。なお、この際、ＮＯx還元（再生処理）インターバルにおいて内燃機関１から排出されるＮＯxの量の一部は、バイパス管６を通過しＮＳＲ１０に導入されないが、この値について本実施例では誤差として無視している。Ｓ２０１の処理が終了するとＳ２０２に進む。
【００７４】
Ｓ２０２においては、酸化触媒２１の床温から、ＮＳＲ１０から排出されたＮＨ３の、酸化触媒２１におけるＮＯxへの転換率を導出する。具体的には、酸化触媒２１の床温と
、転換率との関係が格納されたマップから、この時点における酸化触媒２１の床温に対応する転換率の値を読み出すことによって導出する。なお、酸化触媒２１の床温は、図示しない排気温度センサで、酸化触媒から排出される排気の温度を検出することによって取得してもよい。また、内燃機関１の運転状態から推定してもよい。Ｓ２０２の処理が終了するとＳ２０３に進む。
【００７５】
Ｓ２０３においては、ＮＳＲ１０から排出されたＮＨ３が酸化触媒２１で酸化することによって発生するＮＯxの量を算出する。具体的には、Ｓ２０１で導出された、ＮＯx還元インターバルにおいてＮＳＲ１０から排出されるＮＨ３の量に、Ｓ２０２で導出されたＮＯxへの転換率を乗じることによって、ＮＯx還元インターバルにおいてＮＳＲ１０から排出されたＮＨ３が酸化触媒２１で酸化することにより発生するＮＯxの量を算出する。Ｓ
２０３の処理が終了するとＳ２０４に進む。
【００７６】
Ｓ２０４においては、Ｓ１０３で算出された、切換弁１５の開弁中にバイパス管６を経由して排出されるＮＯx排出量及びＳ２０３で算出されたＮＯx還元インターバルにおいてＮＳＲ１０から排出されたＮＨ３が酸化触媒２１で酸化することにより発生するＮＯxの
量の合計量と、Ｓ１０５で算出された添加同期バイパス制御によるＮＳＲ１０からのＮＯx排出の減少量とが比較される。そして、添加同期バイパス制御によるＮＳＲ１０からの
ＮＯx排出の減少量の方が、切換弁１５の開弁中にバイパス管６を経由して排出されるＮ
Ｏx排出量とＮＯx還元インターバルにおいてＮＳＲ１０から排出されたＮＨ３が酸化触媒２１で酸化されて発生するＮＯxの量と合計量より大きいと判定された場合にはＳ１０７
に進む。一方、当該合計量が添加同期バイパス制御によるＮＳＲ１０からのＮＯx排出の
減少量以上であると判定された場合には、そのまま本ルーチンを一旦終了する。
【００７７】
このように、本ルーチンにおいては、切換弁１５の開弁中にバイパス管６を経由して排
出されるＮＯx排出量及びＳ２０３で算出されたＮＯx還元インターバルにおいてＮＳＲ１０から排出されたＮＨ３が酸化触媒２１で酸化して発生するＮＯxの量の合計量と、添加
同期バイパス制御によるＮＳＲ１０からのＮＯx排出の減少量とが比較され、添加同期バ
イパス制御によるＮＳＲ１０からのＮＯx排出の減少量の方が当該合計量より多いと判定
された場合に限って添加同期バイパス制御を実行することとした。従って、添加同期バイパス制御を実行することで、トータルのエミッションが向上すると判断される場合にのみ、添加同期バイパス制御を実行することができ、より確実にエミッションの向上効果を得ることができる。
【００７８】
なお、本実施例において、Ｓ１０１〜Ｓ２０４の処理を実行するＥＣＵ２０は、本実施例におけるＮＯx量判定手段に相当する。
【００７９】
また、上記の添加同期バイパス制御実行判断ルーチン２では、ＮＯx還元インターバル
について、切換弁１５の開弁中にバイパス管６を経由して排出されるＮＯx排出量及びＮ
Ｏx還元インターバルにおいてＮＳＲ１０から排出されたＮＨ３が酸化触媒２１で酸化す
ることにより発生するＮＯxの量の合計量と、ＮＳＲ１０の浄化率向上によるＮＯx排出の減少量とが比較された。しかし、この比較の対象となる期間はＮＯx還元インターバルに
限られない。例えば、複数のＮＯx還元インターバルについて、切換弁１５の開弁中にバ
イパス管６を経由して排出されるＮＯx排出量及びＮＯx還元インターバルにおいてＮＳＲ１０から排出されたＮＨ３が酸化触媒２１で酸化することにより発生するＮＯxの量の合
計量の平均値と、ＮＳＲ１０の浄化率向上によるＮＯx排出の減少量の平均値と、を比較
してもよい。
【００８０】
また、上記の添加同期バイパス制御実行判断ルーチン２におけるＳ２０１〜Ｓ２０３において、ＮＯx還元インターバルにおいてＮＳＲ１０から排出されたＮＨ３が酸化触媒２
１で酸化することにより発生するＮＯxの量の算出方法は、本実施例で示した方法に特に
限られるものでない。より精度よく算出することができる方法があれば、適宜変更が可能である。
【００８１】
また、添加同期バイパス制御実行判断ルーチン２のＳ２０４においては、Ｓ１０３で算出されたＮＯx排出量及びＳ２０３で算出されたＮＯx発生量の合計量と、Ｓ１０５で算出されたＮＯx排出の減少量とを比較した。そして、Ｓ１０５で算出されたＮＯx排出の減少量の方が、Ｓ１０３で算出されたＮＯx排出量及びＳ２０３で算出されたＮＯx発生量の合計量より大きいと判定された場合に限って添加同期バイパス制御を実行することとした。
【００８２】
しかし、切換弁１５の開弁中にバイパス管６を経由して排出されるＮＯx排出量と、添
加同期バイパス制御によるＮＳＲ１０からのＮＯx排出の減少量と、ＮＳＲ１０から排出
されたＮＨ３が酸化触媒２１で酸化することにより発生するＮＯxの量と、に基づいて、
添加同期バイパス制御を実行するか否かを決定する方法はこれに限られない。例えば、Ｓ１０３で算出されたＮＯx排出量と、Ｓ１０５で算出されたＮＯx排出の減少量と、Ｓ２０３で算出されたＮＯx発生量の、算出精度に差があるような場合には、いずれかに重み付
けの係数を乗ずるなどの変更は適宜可能である。
【００８３】
すなわち、実質的に、切換弁１５の開弁中にバイパス管６を介して排出されるＮＯx量
と、ＮＳＲ１０から排出されたＮＨ３が酸化触媒２１で酸化して発生するＮＯxの量と、
添加同期バイパス制御によるＮＳＲ１０からのＮＯx排出の減少量の３つの要因を考慮し
た上で、トータルのエミッションが向上すると判断される場合に、添加同期バイパス制御を実行するようにすればよい。
【図面の簡単な説明】
【００８４】
【図１】本発明の実施例１に係る内燃機関と、その排気系及び制御系の概略構成を示した図である。
【図２】本発明の実施例に係る燃料添加と切換弁の開閉のタイミングを示すタイムチャートの例である。
【図３】本発明の実施例１に係る添加同期バイパス制御実行判断ルーチンを示すフローチャートである。
【図４】本発明の実施例２に係る内燃機関と、その排気系及び制御系の概略構成を示した図である。
【図５】本発明の実施例２に係る添加同期バイパス制御実行判断ルーチン２を示すフローチャートである。
【符号の説明】
【００８５】
１・・・内燃機関
５・・・排気管
５ａ・・・分岐部
６・・・バイパス管
１０・・・ＮＳＲ
１１・・・フィルタ
１４・・・燃料添加弁
１５・・・切換弁
２０・・・ＥＣＵ
２１・・・酸化触媒
２４・・・燃料添加弁
【図１】
2008196478.tif 000003
【図２】
2008196478.tif 000004
【図３】
2008196478.tif 000005
【図４】
2008196478.tif 000006
【図５】
2008196478.tif 000007